(57)【要約】  【課題】  返信用の封筒としても使用可能で、同じ面を使用しながらも、返信用の封筒として使用するときに往信用と返信用の住所や氏名或いは名称や郵政公社の承認印等が混同することがない往復封筒を提供する。  【解決手段】  透明な開封用舌片５に返信用の郵政公社の承認印等の返信用に必要な情報９が所定の色で記載され、透明な開封用舌片５の折り返し位置に介在される介在テープＴ２に、上記返信用に必要な情報９が記載された所定の色が認識できないようにする色か、又は、模様Ｍが施されている。そして、上記介在テープＴ２は、透明な開封用舌片５を封止する際に使用される離剥テープである。  【選択図】  図１０
2005088942.tif 000002
【特許請求の範囲】
【請求項１】
少なくとも封筒の開口部を封止する開封用舌片が透明シートにより構成され、この透明な開封用舌片に往信用の郵政公社の承認印等の往信用に必要な情報が所定の色で記載されるとともに、透明な開封用舌片が折り返される封筒本体の位置に、上記往信用の郵政公社の承認印等の往信用に必要な情報が認識できないようにする色か、又は、模様が施され、
往信に際しては、透明な開封用舌片の折り返し位置に介在される介在テープを使用して、上記所定の色の往信用の郵政公社の承認印等の往信用に必要な情報が認識されるようにし、返信に際しては、透明な開封用舌片の折り返し位置に介在される介在テープを除去することを特徴とする往復封筒。
【請求項２】
前記透明な開封用舌片に記載される往信用の郵政公社の承認印等の往信用に必要な情報とは、往信用の郵政公社の承認印のみであり、前記透明な開封用舌片が折り返されるときにおける封筒本体の位置に、上記往信用の郵政公社の承認印が位置する位置とはその位置が重ならないように、返信用の郵政公社の承認印等の返信用に必要な情報が記載されていることを特徴とする請求項１記載の往復封筒。
【請求項３】
少なくとも封筒の開口部を封止する開封用舌片が透明シートにより構成され、この透明な開封用舌片に返信用の郵政公社の承認印等の返信用に必要な情報が所定の色で記載され、透明な開封用舌片が折り畳まれる封筒本体の位置に介在される介在テープに、上記返信用に必要な情報が記載された所定の色が認識できないようにする色か、又は、模様が施されていることを特徴とする往復封筒。
【請求項４】
少なくとも封筒の開口部を封止する開封用舌片が透明シートにより構成され、この透明な開封用舌片が折り畳まれる封筒本体の位置に、返信用の宛先等の返信用に必要な情報が所定の色で記載され、透明な開封用舌片の折り返し位置に介在される介在テープに上記返信用の宛先等の返信用に必要な情報が外部から認識できないようにする色か、又は、模様が施されていることを特徴とする往復封筒。
【請求項５】
前記介在テープに、往信用の郵政公社の承認印等の往信用に必要な情報が記載されているか、又は、前記介在テープは、往信用の郵政公社の承認印等の往信用に必要な情報が記載されている宛名シールであることを特徴とする請求項１又は請求項４記載の往復封筒。
【請求項６】
前記介在テープは、透明な開封用舌片を封止する際に使用される離剥テープであるか、又は、往信用の郵政公社の承認印等の往信用に必要な情報が記載されている宛名シールであることを特徴とする請求項１ないし請求項５記載のいずれか１項記載の往復封筒。
【発明の詳細な説明】
【技術分野】
【０００１】
本発明は、往信用としてのみならず返信用としても使用することができる往復封筒に関する。
【背景技術】
【０００２】
近年、資源の有効活用の点やダイレクトメール等における開封率の向上を図る点等から、往信用としてのみならず返信用としても使用することができる往復封筒が使用されるようになってきている。往復封筒には、紙製のものと透明なビニールや合成樹脂製等のような透明なシートにより構成されているものがある。透明なシートにより構成される封筒は、開封用舌片の繰り返しという耐久性を有することや、中身、つまり内容物が認識できることから、ダイレクトメール等における開封率の向上を図ることができるとされている。
【発明の開示】
【発明が解決しようとする課題】
【０００３】
図１９（Ａ）（Ｂ）に示す往復封筒Ｆｚは、透明なシートにより構成される従来の往復封筒である。この往復封筒Ｆｚは、一方の側（表面）ａが往信用に使用され（図１９（Ａ））、他方の側（裏側）ｂが返信用に使用されるもので（図１９（ｂ））、往信用の郵政公社の承認印等の往信用に必要な情報６は、この往復封筒Ｆｚに入れられる内容物Ｎに記載されている。往信用に必要な情報６としては、往信用の宛先、つまり往信用の送り先の住所又は居所、氏名又名称の他、郵便番号、郵政公社（平成１５年４月１日から郵政事業庁から郵政公社に組織変更）の承認印６ａや、バーコード６ｂの印刷等も含まれる。郵政公社の承認印６ａとしては、料金別納、料金後納等の表記が含まれる。往信用に使用するときは、その内容物Ｎに記載された往信用に必要な情報６を透明なシートを介して外部から認識できるので、郵便配達人も往信用に必要な情報を外部から認識できる。ただし、誤って返信用の郵政公社の承認印９ａやバーコード９ｂが往信時に使用されないように、開封用舌片５に隠れる位置に記載されている（図１９（Ｂ）、図２０（Ｂ））。
【０００４】
他方、裏面側ｂには、予め返信用の宛先等の返信用に必要な情報９が記載されている。返信用に必要な情報９としては、返信用の宛先（郵便番号を含む）、つまり返信用の送り先の住所又は居所、氏名又名称の他、郵便番号、郵政公社の承認印９ａや、バーコード９ｂの印刷等も含まれる。返信用の郵政公社の承認印９ａとしては、料金受取り人払い、料金別納、料金後納等の表記が含まれる。この開封用舌片５は、返信用の郵政公社の承認印９ａ等を隠すことができるように着色（黒色等）した大きめのものとして形成されるとともに、これを切断するためのミシン目ＭＭが施されている。そこで、この往復封筒Ｆｚを返信用に使用するときは、開封用舌片５をメクルように開封して内容物Ｎを取り出し（図２０（Ａ））、返信用に使用するときは、ハサミ等の切断具を使用して所定の大きさに開封用舌片５を切断すると、返信用の郵政公社の承認印９ａや、郵便番号、バーコード９ｂが表れる（図２０（Ｂ））。切断することにより残った開封用舌片５は、これを封止する際に使用される離剥テープＴ１が介在されており、この離剥テープＴ１を剥離除去すると接着剤が現れ、開封用舌片５が封筒本体（封筒裏面ｂ）と接着される。
【０００５】
しかしながら、上記従来の往復封筒Ｆｚでは、大きめの開封用舌片５を作成しておき、これにミシン目ＭＭを施す必要があるが、このミシン目ＭＭに沿って切断しようとしてその方向性が一度ずれると、材質が透明シートであることから、ミシン目ＭＭ以外の他の領域にまで切断してしまう問題を有する。なお、ミシン目ＭＭは、所定間隔で切り欠いたジッパー式等のミシン目ではなく、あくまで線のみが所定間隔で施されたものにすぎない。
【０００６】
また、この往復封筒Ｆｚを返信用として使用するときには、往信用の郵政公社の承認印等の往信用に必要な情報６と返信用の郵政公社の承認印等の返信用に必要な情報９が同じ封筒に記載されるので、表裏を誤る危険を有する。表裏を誤るといずれのものか不明になり誤って逆に郵送される事態を生じる。上記往復封筒Ｆｚでは、このような誤りを防止するために、返信用の郵政公社の承認印９ａやバーコード９ｂを開封用舌片５で隠れるようにするとともに、封筒裏面ｂは透明ではなくし（裏面は着色され透明ではなくしている。）、さらに、開封用舌片５も大きなものを使用して、この開封用舌片５に色を施し（図中では黒で表記）、返信用の郵政公社の承認印等の返信用に必要な情報９が返信の際まで隠れるようにしている。しかしながら、これでも表裏を誤る可能性を有するもので、大き目の開封用舌片５は、返信の際にミシン目ＭＭによって所定の大きさにハサミ等の切断具を使用しなければならない不便も有する。また、封書のあちこちに往信の時と返信の時の使用の仕方が説明されているが、これでは、この往復封筒Ｆｚを使用する人は、この説明に従って開封や返信用の作業を一つ一つ注意して行わなければならない煩雑さを有する。なお、ミシン目があると郵政公社のカスタマーバーコード割引と言う割引サービスが受けられないという実情もあった。
【０００７】
そこで本発明の目的は、往信用と返信用の宛先や郵政公社の承認印等が混同して認識されることがなく、開封や返信用の作業も通常の封筒と同じようにすれば足りる往復封筒を提供することにある。
【課題を解決するための手段】
【０００８】
本発明の請求項１記載の往復封筒は、少なくとも封筒の開口部を封止する開封用舌片が透明シートにより構成され、この透明な開封用舌片に往信用の郵政公社の承認印等の往信用に必要な情報が所定の色で記載されるとともに、透明な開封用舌片が折り返される封筒本体の位置に、上記往信用の郵政公社の承認印等の往信用に必要な情報が認識できないようにする色か、又は、模様が施され、往信に際しては、透明な開封用舌片の折り返し位置に介在される介在テープを使用して、上記所定の色の往信用の郵政公社の承認印等の往信用に必要な情報が認識されるようにし、返信に際しては、透明な開封用舌片の折り返し位置に介在される介在テープを除去することを特徴とする。
【０００９】
本発明によれば、返信用として使用するときは、介在テープを除去すると、透明な開封用舌片の折り返される封筒本体の位置に、上記往信用の郵政公社の承認印等の往信用に必要な情報が認識できないようにする色か、又は、模様が施されているために、往信用に必要な情報が認識されることはない。一方、この往復封筒を往信用として使用するときは、上記介在テープを使用して、上記所定の色の往信用の郵政公社の承認印等の往信用に必要な情報が認識されるようにする。例えば、上記透明な開封用舌片の所定の色が黒であるとして、上記透明な開封用舌片の折り返される封筒本体の位置に上記黒を隠す色である黒色が施され、上記介在テープの表面側が白色であると、上記透明な開封用舌片の黒色が認識されることとなる。
【００１０】
ここで、上記往信用の郵政公社の承認印等の往信用に必要な情報としては、郵政公社の承認印、つまり、料金別納、料金後納等の表記（承認印）が含まれる。なお、上記郵政公社の承認印のみを記載し、往信用の送り先の住所又は居所、氏名又名称の他、郵便番号等は、封筒の他の位置に記載したり、封筒全体を透明として封筒の内容物に記載しても良い。
【００１１】
本発明の請求項２記載の往復封筒は、請求項１記載の発明を前提として、前記透明な開封用舌片に記載される往信用の郵政公社の承認印等の往信用に必要な情報とは、往信用の郵政公社の承認印のみであり、前記透明な開封用舌片が折り返されるときにおける封筒本体の位置に、上記往信用の郵政公社の承認印が位置する位置とはその位置が重ならないように、返信用の郵政公社の承認印等の返信用に必要な情報が記載されていることを特徴とする。
【００１２】
本発明によれば、返信に際しては、透明な開封用舌片の折り返し位置に介在される介在テープを除去すると、上記往信用の郵政公社の承認印が上記色か、又は、模様により認識できなくなるが、この往信用の郵政公社の承認印の位置とは重ならないように上記返信用の郵政公社の承認印等の返信用に必要な情報が記載されているために、透明な開封用舌片を折り返すと、この透明な開封用舌片を介して往信用の郵政公社の承認印等の往信用に必要な情報が外部から認識されることとなる。つまり、返信に際しては、透明な開封用舌片が折り返えされる封筒本体の位置において、往信用の郵政公社の承認印は外部から認識できなくなり、これに変わって、透明な開封用舌片が折り返えされる封筒本体の位置において、返信用の郵政公社の承認印等の返信用に必要な情報が認識されることとなる。
【００１３】
本発明の請求項３記載の往復封筒は、少なくとも封筒の開口部を封止する開封用舌片が透明シートにより構成され、この透明な開封用舌片に返信用の郵政公社の承認印等の返信用に必要な情報が所定の色で記載され、透明な開封用舌片の折り返し位置に介在される介在テープに、上記返信用に必要な情報が記載された所定の色が認識できないようにする色か、又は、模様が施されていることを特徴とする。
【００１４】
本発明によれば、この往復封筒を往信用として使用するときは、介在テープを介在させて使用する。介在テープには上記返信用に必要な情報が記載された所定の色が認識できないようにする色か、又は、模様が施されているために、往信に際して、返信用に必要な情報が認識されることはない。一方、この往復封筒を返信用として使用するときは、介在テープを除去すると返信用の宛先等の返信用に必要な情報が表れることとなる。
【００１５】
本発明の請求項４記載の往復封筒は、少なくとも封筒の開口部を封止する開封用舌片が透明シートにより構成され、この透明な開封用舌片が折り畳まれる封筒本体の表側の位置に、返信用の宛先等の返信用に必要な情報が所定の色で記載され、透明な開封用舌片の折り返し位置に介在される介在テープに上記返信用の宛先等の返信用に必要な情報が外部から認識できないようにする色か、又は、模様が施されていることを特徴とする。
【００１６】
本発明によれば、この往復封筒を往信用として使用するときは、介在テープを介在させて使用する。介在テープには上記返信用に必要な情報が記載された所定の色が認識できないようにする色か、又は、模様が施されているために、往信に際して、返信用に必要な情報が認識されることはない。一方、この往復封筒を返信用として使用するときは、介在テープを除去すると返信用の宛先等の返信用に必要な情報が透明な開封用舌片を介して表れることとなる。
【００１７】
本発明の請求項５記載の往復封筒は、請求項１又は請求項４記載の発明を前提として、前記介在テープに、往信用の郵政公社の承認印等の往信用に必要な情報が記載されているか、又は、前記介在テープは、往信用の郵政公社の承認印等の往信用に必要な情報が記載されている宛名シールであることを特徴とする。
【００１８】
本発明によれば、前記介在テープに、往信用の郵政公社の承認印等の往信用に必要な情報が記載されていることから、往信時には透明な開封用舌片を介してこの往信用に必要な情報が外部から視認することができる。他方、返信時にはこの往信用に必要な情報が記載された介在テープを除去すると、返信用に必要な情報が外部から視認できるようになるとともに、返信の際には往信用に必要な情報は封筒からは存在しなくなる。一方、前記介在テープは往信用の郵政公社の承認印等の往信用に必要な情報が記載されている宛名シールであると、この往信時に使用した宛名シールを除去すると同時に、返信の際には往信用に必要な情報や往信には封筒からは存在しなくなる。
【００１９】
本発明の請求項６記載の往復封筒は、請求項１ないし請求項５のいずれか１項記載の発明を前提として、前記介在テープは、透明な開封用舌片を封止する際に使用される離剥テープであることを特徴とする。
【００２０】
本発明によれば、前記介在テープは、透明な開封用舌片を封止する際に使用される離剥テープであると、このような離剥テープは、従来より開封用舌片の接着に使用されているところであり、透明な開封用舌片の封止のために上記介在テープである離剥テープを除去しさえすれば、返信の際には往信用に必要な情報や往信には封筒からは存在しなくなる。
【発明の効果】
【００２１】
本発明の請求項１記載の往復封筒によれば、往信用の郵政公社の承認印等の往信用に必要な情報は介在テープを除去すると認識できなくなるので（隠れるので）、従来のように往信用の記載と返信用の記載の両方が同じ封筒に記載されていることにより、往信用の記載であるか返信用の記載であるか誤って認識されるおそれがなくなる。そして、封筒の表裏の同じ側を使用しながらも、配達人等がいずれか誤認しないように、往信用と返信用とを区別して使用することが可能である。具体的には、往信用と返信用の宛先や郵政公社の承認印等が混同して認識されることがなくなる。また、従来例のように、大き目の開封用舌片を作成しておき、これをミシン線に沿って切断するような煩わしさや、ミシン線通りに切断できないというような不都合もなくなる。
【００２２】
他方、本発明の請求項３ないし請求項５記載の往復封筒によれば、返信用の宛先等の返信用に必要な情報は介在テープを除去するまで表れないので、従来のように往信用の記載と返信用の記載の両方が同じ封筒に記載されていることにより、往信用の記載であるか返信用の記載であるか誤って認識されるおそれがなくなる。そして、封筒の表裏の同じ側を使用しながらも、配達人等がいずれか誤認しないように、往信用と返信用とを区別して使用することが可能である。
【００２３】
また、いずれの発明も、返信の際に開封用舌片を再度接着させるための介在テープを剥離すると、返信用の郵政公社の承認印等の返信用に必要な情報が表れ、返信用の開封用舌片の封止は、通常の返信作業と同じように作業すれば足り、ハサミ等の切断具を使用しなくとも、一つの封筒を返信用の封筒としても使用することが可能になる。
【発明を実施するための最良の形態】
【００２４】
以下、本発明の一実施の形態を図面に基づき説明する。なお、いずれの実施の形態でも、透明な開封用舌片５が折り返される側を表側として説明する。
【００２５】
（第１の実施の形態）
図１は、本発明の一実施の形態の往復封筒をその表側から見た平面図であり、また、図２のようにして介在テープである離剥テープを剥離した後の状態の図であり、図２は、離剥テープを剥離する状態を示す図であり、図３は透明な開封用舌片が折り返され封止された返信の状態を示す図である。なお、透明な開封用舌片が折り返される側を表側として説明する。
【００２６】
この往復封筒Ｆ１は、縦型の封筒であり（和封筒とも呼ばれる）、封筒の表側を構成する面側シートａと封筒の裏側を構成する裏面シートｂを有し、裏側シートｂと表面シートａの上方に開口部を有する袋状となっており、表面シートａの上方には折り返される開封用舌片５のみならず封筒全体が透明なもので、封入される内容物Ｎも外部から認識されている。透明な開封用舌片５には、往信用の郵政公社の承認印６ａが記載（印刷）されている。往信用の郵政公社の承認印６ａには、「料金後納郵便」、「料金別納」等の表示（承認印）等が含まれ、透明な開封用舌片が折り返されると、縦型封筒である封筒本体の裏側ｂの左上隅部に所定の色（ここでは黒とする）で印刷（記載）されている。すなわち、透明であるために、表側ａからは右上隅部に表れるようになる。現在のところ、料金受取り人払い等の郵政公社の承認９ａは、郵政公社の機械にかけられ、読み取られるが、その位置が定まっているために、封筒の左上隅部に印刷（記載）されている。また、開封用舌片５の片側角部には、開封の際の目印としてのＯＰＥＮの文字が記載され、この文字が記載される位置から剥離されるようになっている。開封用舌片５は、往信の際は、細幅の第１の離剥テープＴ１を剥離し、接着剤を露出させて、開封用舌片５が貼着される。第１の離剥テープＴ１は、往信時にこれを剥離して使用するもので、剥離すると接着剤が露出する。
【００２７】
透明な開封用舌片５が折り返される封筒本体の位置には、上記往信用の郵政公社の承認印６ａ等の往信用に必要な情報６が認識できないようにする模様Ｍが施されている。この模様Ｍの代わりに、上記往信用の郵政公社の承認印等の往信用に必要な情報６が認識できないようにする所定の色でも良い。本実施の形態では、円形の往信用の郵政公社の承認印６ａよりもやや大きな四角形状の範囲に上記模様Ｍが施されている。また、同じく透明な開封用舌片５が折り返される封筒本体の位置には、返信用の郵政公社の承認印等の返信用に必要な情報９が所定の色で記載されている（図１ないし図３）。具体的には、返信用の宛先（郵便番号を含む）、返信用の郵政公社の承認印９ａ、バーコード９ｂ等の返信用に必要な情報９が記載されている。「所定の色」は、本例では、説明の便宜上（図面の表現上）、黒色が施されているものとするが、その色に限定はない。返信用の郵政公社の承認印９ａは、料金受取り人払い等の表示であり、表側ａの左上隅部に所定の色で印刷（記載）されている。上記返信用の郵政公社の承認印９ａは、往信用の郵政公社の承認印６ａの位置とは重ならない位置に記載（印刷）されている。すなわち、封筒の表側ａの図面上の右側に往信用の郵政公社の承認印６ａが記載（印刷）され、中でも、返信用の郵政公社の承認印９ａは、最も左側に記載（印刷）され、他方、上記模様Ｍは右側に位置して施され、これらの位置が重ならないようになっている。
【００２８】
開封用舌片５が折り返される位置には、介在テープである広幅の第２の離剥テープＴ２が取り付けられている。この第２の離剥テープＴ２は、往信時は開封用舌片５との間に介在されており、返信時はこの第２の離剥テープＴ２を剥離除去すると、その個所の接着剤を介して開封用舌片５が封筒の表側ａと接着される。この第２の離剥テープＴ２には、往信用の宛先（郵便番号を含む）、往信用の郵政公社の承認印６ａ、バーコード６ｂ等の往信用に必要な情報６が記載されている（図４）。この往信用の郵政公社の承認印等の往信用に必要な情報６は、透明なシート（開封用舌片５）を介して外部から視認可能である。また、前記介在テープＴ２としては、宛名シールを使用することができる。宛名シールは、郵便番号、住所、名、これらの情報のバーコードや郵政公社の承認印等が記載され、剥離するように除去可能であるが、これを上記広幅の第２の離剥テープＴ２のように使用しても良い。
【００２９】
ここで、往信用に必要な情報６は、図５（Ａ）（Ｂ）に示すように、内容物Ｎに記載して使用する往復封筒Ｆ１ａとすることも可能である。また、往信用に必要な情報６のうちのバーコード６ｂは、上記往信用の郵政公社の承認印６ａの位置として、上記模様Ｍや所定の色により外部から認識できないようにすることも可能である。
【００３０】
したがって、本例の往復封筒Ｆ１は、図４（Ａ）に示す状態で往信用として使用される。すなわち、第２の離剥テープＴ２に記載された往信用の宛先等の往信用に必要な情報６と、透明な開封用舌片５に記載された往信用の郵政公社の承認印６ａとの組み合わせで一体的に往信用に必要な情報６となり、これらが透明な開封用舌片５を介して外部から認識できる状態である。この図４（Ａ）に示す状態では、返信用の郵政公社の承認印等の返信用に必要な情報９は外部から認識できない。
【００３１】
この往復封筒Ｆ１を受け取った受取人は、図２に示すように、開封用舌片５のＯＰＥＮの部分から開封用舌片５をメクルようにして開口部から開封用舌片５を離して開封して、内容物Ｎを取り出す。ダイレクトメール（ＤＭ）等では、内容物に所定の事項を記載して、その内容物Ｎを送り返すこともあり、例えば、ＣＤ、ＭＤ、ＤＶＤ等の商品のレンタルの際なども、又、これらを数日借りた後、これを返却するときなどにも使用される。次に、この往復封筒Ｆ１を返信用として使用するときは、介在テープである第２の離剥テープＴ２を剥離除去して（図２）、その部分の接着剤を露出させて開封用舌片５を封止すると（図３）、返信用の宛先等の返信用に必要な情報９のみが表れることとなる。すなわち、第２の離剥テープＴ２を剥離して除去すると、往信用の宛先等の往信用に必要な情報６は存在しなくなり、残りの往信用の郵政公社の承認印６ａは、上記模様Ｍや所定の色彩に隠れるようになって（図３）、外部から認識できなくなる。このように、本実施の形態によれば、同じ封筒の表側ａを使用しながらも、郵便配達人も郵政公社の機械も、返信の際に、往信用に必要な情報６と返信用に必要な情報９とを誤って認識することがなくなる。なお、ハサミ等の切断具を使用しなくとも開封と封止が可能である。
【００３２】
次に、上記第１の実施の形態を横型封筒に適用した応用例を説明する。この応用例は、図６と図８に示すように、往信用に使用するときは横型の封筒として使用し、返信の際は縦型の封筒となるもので、返信用の郵政公社の承認印９ａが、封筒の左隅上に位置するようにしたことに特に特徴を有する往復封筒Ｆ１ｂである。図６は、この往復封筒Ｆ１ｂの表側から見た平面図であり、また、図７のようにして介在テープである離剥テープを剥離した後の状態の図であり、図７は、離剥テープを剥離する状態を示す図であり、図８は透明な開封用舌片が折り返され封止された返信の状態を示す図であり、図９（Ａ）（Ｂ）は往信の状態を示す図である。この往復封筒Ｆ１ｂは、往信に際しては、横型封筒として使用される。往信に際しての往信用の郵政公社の承認印６ａは、「料金後納郵便」、「料金別納」等の表示（承認印）等が含まれるが、この往信用の郵政公社の承認印６ａは、横型封筒としての左上隅部に印刷（記載）されている。一方、この往復封筒Ｆ１ｂは、返信に際して、縦型封筒としての使用となり、このため返信用の郵政公社の承認印９ａは、料金受取り人払い等の表示（承認印）等が含まれるが、縦型封筒として見た場合の封筒本体の表側ａの左上隅部（図６と図８においては右側）に印刷（記載）されている。現在のところ、返信用の料金受取り人払い等の郵政公社の承認９ａは、郵政公社の機械にかけられ、読み取られるが、その位置が定まっているために、この横型封筒の往復封筒Ｆ１ｂを縦型としてみた場合に左上隅部の位置に印刷（記載）されている。なお、第２の離剥テープＴ２を剥離して除去すると、往信用の郵政公社の承認印６ａは、上記模様Ｍや所定の色彩に隠れるようになる等は、上記実施の形態と同様である。
【００３３】
（第２の実施の形態）
図１０は、本発明の一実施の形態の往復封筒に内容物を入れる状態を示す平面図であり、図１１（Ａ）は、内容物を入れた状態の往復封筒の裏側の図であり、図１１（Ｂ）は、内容物を入れた状態の往復封筒の面側の図である。この往復封筒Ｆ２は、封筒の表側を構成する面側シートａと封筒の裏側を構成する裏面シートｂを有し、裏側シートｂと表面シートａの上方に開口部を有する袋状となっており、表面シートａの上方には折り返されて開口部を塞ぐ開封用舌片５が設けられ、この開封用舌片５により開口部が封止される。内容物Ｎには、往信用の宛先（郵便番号を含む）、往信用の郵政公社の承認印６ａ、バーコード６ｂ等の往信用に必要な情報６が記載され、透明なシート（裏側シートｂ）を介してこれら往信用に必要な情報が外部から視認可能である（（図１１（Ａ））。往信用の郵政公社の承認印６ａは、「料金後納郵便」、「料金別納」等の表示であり、裏側ｂの左上隅部に印刷（記載）されている。  
【００３４】
透明な開封用舌片５には、返信用の郵政公社の承認印等の返信用に必要な情報９が所定の色で記載されている（図１０、図１１（Ｂ））。具体的には、返信用の宛先（郵便番号を含む）、返信用の郵政公社の承認印９ａ、バーコード９ｂ等の返信用に必要な情報９が記載されている。「所定の色」は、本例では、説明の便宜上（図面での表現上）、黒色が施されているものとするが、その色に限定はない。返信用の郵政公社の承認印９ａは、「料金受取人払」等の表示であり、表側ａの左上隅部に所定の色で印刷（記載）されている。現在のところ、料金受取り人払い等の返信用の郵政公社の承認９ａは、郵政公社の機械にかけられ、読み取られるが、その位置が定まっているために、封筒の左上隅部に印刷（記載）されている。また、開封用舌片５の片側角部には、開封の際の目印としてのＯＰＥＮの文字が記載されている。開封用舌片５は、往信の際は、細幅の第１の離剥テープＴ１を剥離し、接着剤を露出させて、開封用舌片５が貼着される。第１の離剥テープＴ１は、往信時にこれを剥離して使用するものである。
【００３５】
開封用舌片５が折り返される位置には、介在テープである広幅の第２の離剥テープＴ２が取り付けられている。この第２の離剥テープＴ２は、往信時は開封用舌片５との間に介在されており、返信時はこの第２の離剥テープＴ２を剥離除去して表側ａと接着される。この第２の離剥テープＴ２には、返信用に必要な情報９が記載された所定の色が認識できないようにする色か、又は、模様Ｍが施されている（図１１（Ｂ））。本例では、上記返信用に必要な情報９が黒色で施されているので、第２の離剥テープＴ２の色は、この黒色か、黒色と同系色の色か、この黒色が認識できないようにする模様Ｍが施されている。所定の色が認識できないようにする色も所定の色が認識できないようにする模様Ｍも特に定まったものではなく、色と模様Ｍの組み合わせも含まれる。ここでは、黒色が施された第２の離剥テープＴ２は、開封用舌片５を折り返すときの内側に配される介在テープであり、返信用としての開封用舌片５を接着させるための接着剤をその封止のときまで使用しないようにする役割も有する。したがって、開封用舌片５を返信時に接着させるために剥離除去されるまでは、返信用の宛先等の往信用に必要な情報６は外部からは認識されないようにされている。返信用の宛先等の返信用に必要な情報９のうち返信用の局承認９ａやバーコード９ｂがその光学式の読取装置（バーコードリーダ）によって誤って読み取られることがないようにするために、黒色のほかに読み取り防止用の模様Ｍが施されるものでも良い。なお、バーコード９ｂの箇所のみを所定の模様Ｍや色彩で読み取られないようにする部分的な読み取り防止にすることも可能である。その他の構成は、第１の実施の形態と同様である。
【００３６】
したがって、本例の往復封筒Ｆ２は、往信用として使用するときは、開口部から往信用に必要な情報６が記載された内容物Ｎを封入させてから（図１０）、開封用舌片５を表面シートａ側に折り畳むとともに、第１の離剥テープＴ１を剥離しその接着剤を使用して開口部を封止し、郵送する。この往復封筒Ｆ２を受け取った受取人は、図１２（Ａ）に示すように開封用舌片５のＯＰＥＮの部分から開封用舌片５をメクルようにして開口部から開封用舌片５を離して開封する（図１２（Ｂ））。そして、内容物Ｎを取り出す。ダイレクトメール（ＤＭ）等では、内容物に所定の事項を記載して、その内容物Ｎを送り返すこともあり、例えば、ＣＤ、ＭＤ、ＤＶＤ等の商品のレンタルの際なども、又、これらを数日借りた後、これを返却するときなどにも使用される。次に、この往復封筒Ｆ２を返信用として使用するときは、介在テープである第２の離剥テープＴ２を剥離除去して（図１３（Ａ））、その部分の接着剤を露出させて開封用舌片５を封止すると（図１３（Ｂ））、返信用の宛先等の返信用に必要な情報９が表れることとなる。すなわち、第２の離剥テープＴ２を剥離しない限り、返信用の宛先等の返信用に必要な情報９は隠れた状態になっているので、郵便配達人も郵政公社の機械も、往信の際に、返信用の宛先、返信用の郵政公社の承認印９ａ等の返信用に必要な情報９を誤って認識することがなくなる。また、ハサミ等の切断具を使用しなくとも開封と封止が可能である。
【００３７】
（第３の実施の形態）
図１４（Ａ）（Ｂ）は、第３の実施の形態の往信の際の使用状態を示す図であり、図１５（Ａ）（Ｂ）は、第３の実施の形態の返信の際の使用状態を示す図である。本実施の形態も全体が透明なシートで構成される縦型の往復封筒Ｆ３であり、この往復封筒Ｆ３の開封用舌片５により覆われる表面シートａの上方（開口部の近傍）に返信用の郵政公社の承認印等の返信用に必要な情報９が所定の色で記載されている（図１５（Ａ）（Ｂ））。説明の便宜上、ここでも所定の色は黒色として説明する。すなわち、黒色により、返信用の宛先、返信用の郵政公社の承認印９ａ、バーコード９ｂ等の返信用に必要な情報９は開封用舌片５が折り畳まれる封筒本体の折り返し位置（表面ａ）に記載（印刷）されている。そして、この返信用の郵政公社の承認印等の返信用に必要な情報９を隠すように介在テープである第２の離剥テープＴ２が折り畳まれる開封用舌片５と表面シートａとの間に介在されている。第２の離剥テープＴ２は、その背景色Ｔ２ａが上記返信用の宛先等の返信用に必要な情報９が外部から認識できないようにする色か、又は、模様Ｍが施されているが、表側の中央部分Ｔ２ｂには、往信用の郵政公社の承認印等の往信用に必要な情報６が記載されている。この往信用に必要な情報６は、それが記載されたシートを第２の離剥テープＴ２に貼着させたものでも、又、第２の離剥テープＴ２の裏側を黒色で表側をこの黒色とは異なる色（白色等）で構成したものでも良い。なお、本実施の形態では、第１の実施の形態とは異なり、開封用舌片５には、返信用の宛先等の往信用に必要な情報６は記載されていない。
【００３８】
したがって、本例の往復封筒Ｆ３は、往信用として使用するときは、介在テープである第２の離剥テープＴ２が介在された状態で郵送される。往信に際しては、第２の離剥テープＴ２の中央部分Ｔ２ｂに往信用の郵政公社の承認印等の往信用に必要な情報６が記載され、これが透明な開封用舌片５を介して外部から認識できるので、郵便配達人は配達することができる。この往復封筒Ｆ３を受け取った受取人は、図１４（Ｂ）に示すように開封用舌片５をそのＯＰＥＮの部分からメクルようにして開封する。次に、この往復封筒Ｆ３を返信用として使用するときは、介在テープである第２の離剥テープＴ２を剥離除去して（（図１５（Ａ））、その部分の接着剤を露出させて開封用舌片５を封止すると、返信用の宛先等の返信用に必要な情報９が表れることとなる（（図１５（Ｂ））。すなわち、第２の離剥テープＴ２により隠れていた表面シートａの上方に記載されていた返信用の宛先等の返信用に必要な情報９が返信の際にはじめて認識されるようになる。第２の離剥テープＴ２を剥離する作業は、通常の封筒の封止にも行われる作業であるから、通常の封筒と同じように返信用の作業を行えば足りる。
【００３９】
ここで、図１６（Ａ）（Ｂ）に示すように、第２の離剥テープＴ２の表側の中央部分Ｔ２ｂに、往信用の郵政公社の承認印６ａが記載（印刷）されているもので良い。この位置は、透明な開封用舌片５を介して封筒の左上の位置であることが好ましい。また、この往信用の郵政公社の承認印６ａは、この位置として、それ以外の往信用の郵政公社の承認印等の往信用に必要な情報６は、内容物Ｎに記載されているものでも良い。
【００４０】
（第４の実施の形態）
図１７（Ａ）（Ｂ）は、第４の実施の形態の正面図であり、図１８（Ａ）（Ｂ）は、第４の実施の形態の返信の際の使用状態を示す正面図である。本実施の形態も全体が透明なシートで構成される縦型の往復封筒Ｆ４であり、この往復封筒Ｆ４の透明な開封用舌片５に往信用の郵政公社の承認印等の往信用に必要な情報６が所定の色で記載されている（図１７（Ａ）（Ｂ））。説明の便宜上、ここでも所定の色は黒色として説明する。すなわち、黒色により、往信用の宛先（郵便番号を含む）、往信用の郵政公社の承認印６ａ、バーコード６ｂ等の往信用に必要な情報６が開封用舌片５が折り畳まれる封筒本体の表面ａの位置に記載（印刷）されている。そして、この往信用の郵政公社の承認印等の往信用に必要な情報６を隠すために介在テープである第２の離剥テープＴ２が折り畳まれる開封用舌片５と表面シートａとの間に介在されている。本実施の形態の第２の離剥テープＴ２は、二枚重ねで構成され、上方側となる一方のテープＴ２ｃは白色で構成され、黒色の往信用に必要な情報６が際立つようになっている（図１７（Ａ）、図１８（Ａ））。二枚重ねの第２の離剥テープＴ２の下方側となる他方のテープＴ２ｄは、上記往信用の郵政公社の承認印等の往信用に必要な情報６が外部から認識できないようにする色か、又は、模様Ｍが施されている（図１８（Ａ））。なお、返信用の宛先等の返信用に必要な情報９は、上記往信用の郵政公社の承認印等の往信用に必要な情報６とは反対側の封筒本体の裏面ｂに記載したり、或いは、封筒本体の表面ａに記載したり、又は、内容物Ｎに記載したりすれば良い。
【００４１】
したがって、本例の往復封筒Ｆ４は、往信用として使用するときは、介在テープである第２の離剥テープＴ２が介在された状態で郵送される。往信に際しては、第２の離剥テープＴ２の一方のテープが白色であるために黒色の往信用の郵政公社の承認印等の往信用に必要な情報６が際立った状態で外部から認識されるので、郵便配達人は配達することができる。この往復封筒Ｆ４を受け取った受取人は、開封用舌片５を前記ＯＰＥＮの部分からメクルようにして開封する（図１７（Ｂ））。次に、この往復封筒Ｆ４を返信用として使用するときは、第２の離剥テープＴ２の上方側となる一方のテープＴ２ｃを剥離除去して（（図１８（Ａ））、他方のテープＴ２ｄを露出させると、他方のテープＴ２ｄには、上記往信用の郵政公社の承認印等の往信用に必要な情報が認識できないようにする色か、又は、模様Ｍが施されているために、第２の離剥テープＴ２の他方のテープＴ２ｄに隠れるようにして外部からは肉眼では認識できなくなる（図１８（Ｂ））。
【００４２】
ここで、上記二枚重ねの第２の離剥テープＴ２は使用せずに、第１又は第２の実施の形態の１枚ものの第２の離剥テープＴ２を使用して、この第２の離剥テープＴ２の表面側を例えば白色とし、返信の際には、この第２の離剥テープＴ２を剥離除去することで返信用として可能である。ただし、往信用の郵政公社の承認印等の往信用に必要な情報６が返信の際に外部から認識されないようにするために、透明な開封用舌片５の折り返される封筒本体の位置に、上記往信用の郵政公社の承認印等の往信用に必要な情報が認識できないようにする色か、又は、模様Ｍが施されている必要がある。なお、この封筒本体の裏面側ｂの位置に上記往信用の郵政公社の承認印等の往信用に必要な情報６が認識できないようにする色Ｍか、又は、模様Ｍが施されている状態の図は、上記図１８（Ｂ）と実質的に同じ状態になる。
【００４３】
以上、各実施の形態の説明では、往信用の郵政公社の承認印等の往信用に必要な情報６と返信用の郵政公社の承認印等の返信用に必要な情報９が認識できないようにする例を宛先（郵便番号を含む）、郵政公社の承認印６ａ，９ａ、バーコード６ｂ，９ｂ等で説明したが、本発明の上記構造により、これらの少なくとも一つを認識できないようにすることも可能である。また、主にいわゆる縦型の封筒に本発明を適用したものであるが、横型封筒等の他の封筒にも同じように適用可能である。なお、各実施の形態の説明では、返信用の宛先が往信用の封筒を使用する差し出し人である場合について説明したが、この往復封筒の往信用の封筒を受領した者は、往信用の封筒を使用した差し出し人以外の第三者に郵送する、つまり、通常の封筒のように再使用することも可能である。
【００４４】
また、本実施の形態は、開封用舌片を含め全体が透明なシートからなるもので説明したが、少なくとも開封用舌片が透明シートであれば本発明として使用可能であり、また、封筒本体としては、内容物に記載された宛名等を表示する窓（透明な材質の窓）を有するものにも適用可能である。
【産業上の利用可能性】
【００４５】
本発明は、往信用としてのみならず返信用としても使用することができる往復封筒において、往信用と返信用の宛先や郵政公社の承認印等が混同することがなく、開封や返信用の作業も通常の封筒と同じようにすれば足りるので、ダイレクトメール（ＤＭ）等の大量の封書を郵送するときやその返信において得に有益である。なお、ミシン目がないために郵政公社の読取り機械に通しても何ら問題がなく、現行でのカスタマーバーコード割引と言う割引サービスが受けられる利点もある。
【図面の簡単な説明】
【００４６】
【図１】本発明の第１の実施の形態の往復封筒において返信に使用する状態を示す正面図である。
【図２】上記第１の実施の形態の往復封筒の返信に使用する状態を示す正面図である。
【図３】上記第１の実施の形態の往復封筒の返信に使用する状態を示す正面図である。
【図４】（Ａ）は第１の実施の形態の往復封筒を往信用の使用状態を示す正面図であり、（Ｂ）は開封用舌片５を剥離した状態を示す正面図である。
【図５】上記第１の実施の形態の他の例の往信用の使用状態を示す正面図であり、（Ｂ）は開封用舌片を剥離した状態を示す正面図である。
【図６】上記第１の実施の形態の応用例の往復封筒を示す図であり、返信に使用する状態を示す正面図である。
【図７】上記応用例の返信用に使用する状態を示す正面図である。
【図８】上記応用例の往信用に使用する状態を示す正面図である。
【図９】上記応用例の往信用に使用する状態を示す正面図である。
【図１０】本発明の第２の実施の形態の往復封筒において往信のために内容物を入れる状態を背面図である。
【図１１】上記第２の実施の形態の往復封筒の往信する状態を示す図であり、（Ａ）はその表側から示す背面図であり、（Ｂ）はその裏側から示す背面図である。
【図１２】（Ａ）は、第２の実施の形態の往復封筒の開封状態を示す正面図であり、（Ｂ）は開封した除隊を示す正面図である。
【図１３】（Ａ）は第２の実施の形態の往復封筒を返信用の使用状態を示す正面図であり、（Ｂ）は介在テープを剥離し封止した状態を示す正面図である。
【図１４】本発明の第３の実施の形態の往復封筒を示す図であり、（Ａ）はその裏側から見た状態の正面図であり、（Ｂ）はその開封状態を説明する正面図である。
【図１５】（Ａ）は第３の実施の形態の往復封筒の介在テープを剥離する状態を説明する正面図であり、（Ｂ）は往信用として封止した状態を示す正面図である。
【図１６】本発明の第３の実施の形態の他の例を示す正面図である。
【図１７】本発明の第４の実施の形態の往復封筒を示す図であり、（Ａ）は開封用舌片を封止した状態の正面図であり、（Ｂ）は開封用舌片を開封した状態を示す正面図である。
【図１８】上記第４の実施の形態の二枚重ねの介在テープの一方のテープを除去する状態を説明する正面図である。
【図１９】従来の往復封筒を示す図であり、（Ａ）はその正面図であり、（Ｂ）はその背面図である。
【図２０】（Ａ）は従来の往復封筒を返信用として使用する状態を説明する背面図であり、（Ｂ）は開封用舌片の長さを調整して封止した状態を示す背面図である。
【符号の説明】
【００４７】
Ｆ１，Ｆ１ａ，Ｆ１ｂ，Ｆ２,Ｆ３，Ｆ４    往復封筒、
ａ            表側シート（表側）、
ｂ            裏側シート（裏側）、
５            開封用舌片、
６            往信用の郵政公社の承認印等の往信用に必要な情報、
６ａ          郵政公社の承認印、６ｂ  バーコード、
９            返信用の郵政公社の承認印等の返信用に必要な情報、
９ａ          郵政公社の承認印、９ｂ  バーコード、
Ｍ            往信用の郵政公社の承認印等の往信用に必要な情報が認識できないようにする色か、又は、模様
Ｎ            内容物、  
Ｔ１          第１の離剥テープ、
Ｔ２          第２の離剥テープ（介在テープ）、
Ｔ２ａ        背景色、Ｔ２ｂ  中央部分、
Ｔ２ｃ        一方のテープ、Ｔ２ｄ  他方のテープ
【図１】
2005088942.tif 000003
【図２】
2005088942.tif 000004
【図３】
2005088942.tif 000005
【図４】
2005088942.tif 000006
【図５】
2005088942.tif 000007
【図６】
2005088942.tif 000008
【図７】
2005088942.tif 000009
【図８】
2005088942.tif 000010
【図９】
2005088942.tif 000011
【図１０】
2005088942.tif 000012
【図１１】
2005088942.tif 000013
【図１２】
2005088942.tif 000014
【図１３】
2005088942.tif 000015
【図１４】
2005088942.tif 000016
【図１５】
2005088942.tif 000017
【図１６】
2005088942.tif 000018
【図１７】
2005088942.tif 000019
【図１８】
2005088942.tif 000020
【図１９】
2005088942.tif 000021
【図２０】
2005088942.tif 000022